(57)【要約】【課題】  電子タグ付き印刷物を複写する際に電子タグから印刷物の属性情報および元画像データを読み出して利用することのできる画像形成装置において、原稿の電子タグ付き印刷物が属性情報に複写禁止情報を含んでいる場合に、原稿を適切に処理することのできる画像形成装置を提供する。【解決手段】  ＭＦＰ１００Ｂは、原稿をＡＤＦ１４１により一枚ずつ所定の読み取り位置まで搬送し、ＩＣタグリーダー１４３ＢによりＩＣタグに記録された属性情報中に複写禁止情報が存在するか否かを判断する。複写禁止情報が存在しない原稿は、ＩＣタグリーダー１４３ＢによりＩＣタグから読み出した画像データを印刷部１５１により出力する。一方、ＩＣタグ付き印刷物でない場合は、ユーザの選択に従って、白紙の出力、または出力なしのいずれかの方法により処理する。【選択図】            図２
2005193422.tif 000002
【特許請求の範囲】
【請求項１】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す第１の読み出し手段と、
前記第１の読み出し手段により読み出した属性情報中に複写禁止情報が存在するか否かを判断する判断手段と、
前記判断手段により複写禁止情報が存在しないと判断した場合に前記電子タグから画像データを読み出す第２の読み出し手段と、
前記第２の読み出し手段により読み出した画像データを印刷する印刷手段とを有し、
前記第２の読み出し手段は、前記判断手段により複写禁止情報が存在すると判断した場合に前記電子タグから画像データの読み出しを行わず、
前記印刷手段は、前記判断手段により複写禁止情報が存在すると判断した場合に出力を中止することを特徴とする、
画像形成装置。
【請求項２】
前記判断手段により複写禁止情報が存在すると判断した場合に前記電子タグ付き印刷物が複写禁止である旨を表示する表示手段をさらに有する、
請求項１に記載の画像形成装置。
【請求項３】
前記印刷手段は、印刷用紙の一部に電子データを記憶する電子タグを備えた電子タグ付き印刷用紙に画像データを印刷するものであり、
前記印刷手段により画像データを印刷した電子タグ付き印刷用紙の電子タグに、前記印刷手段により印刷した画像データを書き込む書き込み手段をさらに有することを特徴とする、
請求項１または２に記載の画像形成装置。
【請求項４】
前記電子タグは無線通信により電子データを送受信するものである、
請求項１〜４のいずれか１項に記載の画像形成装置。
【請求項５】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物を、一枚ずつ所定の読み取り位置まで搬送する搬送手段と、
前記搬送手段により搬送された電子タグ付き印刷物の電子タグから前記電子タグ付き印刷物の属性情報を読み出す第１の読み出し手段と、
前記第１の読み出し手段により読み出した属性情報中に複写禁止情報が存在するか否かを判断する判断手段と、
前記判断手段により複写禁止情報が存在しないと判断した電子タグ付き印刷物の電子タグから画像データを読み出す第２の読み出し手段と、
前記第２の読み出し手段により読み出した画像データを印刷する印刷手段とを有し、
前記第２の読み出し手段は、前記判断手段により複写禁止情報が存在すると判断した電子タグ付き印刷物の電子タグから画像データの読み出しを行わないことを特徴とする、
画像形成装置。
【請求項６】
前記印刷手段は、前記判断手段により複写禁止情報が存在すると判断した電子タグ付き印刷物については白紙を出力することを特徴とする、
請求項５に記載の画像形成装置。
【請求項７】
前記印刷手段は、前記判断手段により複写禁止情報が存在すると判断した電子タグ付き印刷物については出力を行わないことを特徴とする、
請求項５に記載の画像形成装置。
【請求項８】
前記印刷手段は、印刷用紙の一部に電子データを記憶する電子タグを備えた電子タグ付き印刷用紙に画像データを印刷するものであり、
前記印刷手段により画像データを印刷した電子タグ付き印刷用紙の電子タグに、前記印刷手段により印刷した画像データを書き込む書き込み手段をさらに有することを特徴とする、
請求項５〜７のいずれか１項に記載の画像形成装置。
【請求項９】
前記電子タグは無線通信により電子データを送受信するものである、
請求項５〜８のいずれか１項に記載の画像形成装置。
【請求項１０】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す第１の読み出しステップと、
前記第１の読み出しステップにより読み出した属性情報中に複写禁止情報が存在するか否かを判断する判断ステップと、
前記判断ステップにより複写禁止情報が存在しないと判断した場合に前記電子タグから画像データを読み出す第２の読み出しステップと、
前記第２の読み出しステップにより読み出した画像データを印刷する印刷ステップとを有し、
前記第２の読み出しステップは、前記判断ステップにより複写禁止情報が存在すると判断した場合に前記電子タグから画像データの読み出しを行わず、
前記印刷ステップは、前記判断ステップにより複写禁止情報が存在すると判断した場合に出力を中止することを特徴とする、
画像形成方法。
【請求項１１】
前記判断ステップにより複写禁止情報が存在すると判断した場合に前記電子タグ付き印刷物が複写禁止である旨を表示する表示ステップをさらに有する、
請求項１０に記載の画像形成方法。
【請求項１２】
前記印刷ステップは、印刷用紙の一部に電子データを記憶する電子タグを備えた電子タグ付き印刷用紙に画像データを印刷するものであり、
前記印刷ステップにより画像データを印刷した電子タグ付き印刷用紙の電子タグに、前記印刷ステップにより印刷した画像データを書き込む書き込みステップをさらに有することを特徴とする、
請求項１０または１１に記載の画像形成方法。
【請求項１３】
前記電子タグは無線通信により電子データを送受信するものである、
請求項１０〜１２のいずれか１項に記載の画像形成方法。
【請求項１４】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物を、一枚ずつ所定の読み取り位置まで搬送する搬送ステップと、
前記搬送ステップにより搬送された電子タグ付き印刷物の電子タグから前記電子タグ付き印刷物の属性情報を読み出す第１の読み出しステップと、
前記第１の読み出しステップにより読み出した属性情報中に複写禁止情報が存在するか否かを判断する判断ステップと、
前記判断ステップにより複写禁止情報が存在しないと判断した電子タグ付き印刷物の電子タグから画像データを読み出す第２の読み出しステップと、
前記第２の読み出しステップにより読み出した画像データを印刷する印刷ステップとを有し、
前記第２の読み出しステップは、前記判断ステップにより複写禁止情報が存在すると判断した電子タグ付き印刷物の電子タグから画像データの読み出しを行わないことを特徴とする、
画像形成方法。
【請求項１５】
前記印刷ステップは、前記判断ステップにより複写禁止情報が存在すると判断した電子タグ付き印刷物については白紙を出力することを特徴とする、
請求項１４に記載の画像形成方法。
【請求項１６】
前記印刷ステップは、前記判断ステップにより複写禁止情報が存在すると判断した電子タグ付き印刷物については出力を行わないことを特徴とする、
請求項１４に記載の画像形成方法。
【請求項１７】
前記印刷ステップは、印刷用紙の一部に電子データを記憶する電子タグを備えた電子タグ付き印刷用紙に画像データを印刷するものであり、
前記印刷ステップにより画像データを印刷した電子タグ付き印刷用紙の電子タグに、前記印刷ステップにより印刷した画像データを書き込む書き込みステップをさらに有することを特徴とする、
請求項１４〜１６のいずれか１項に記載の画像形成方法。
【請求項１８】
前記電子タグは無線通信により電子データを送受信するものである、
請求項１４〜１７のいずれか１項に記載の画像形成方法。
【請求項１９】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す第１の読み出しステップと、
前記第１の読み出しステップにより読み出した属性情報中に複写禁止情報が存在するか否かを判断する判断ステップと、
前記判断ステップにより複写禁止情報が存在しないと判断した場合に前記電子タグから画像データを読み出す第２の読み出しステップと、
前記第２の読み出しステップにより読み出した画像データを印刷する印刷ステップとを有し、
前記第２の読み出しステップは、前記判断ステップにより複写禁止情報が存在すると判断した場合に前記電子タグから画像データの読み出しを行わず、
前記印刷ステップは、前記判断ステップにより複写禁止情報が存在すると判断した場合に出力を中止することを特徴とする、
画像形成プログラム。
【請求項２０】
前記判断ステップにより複写禁止情報が存在すると判断した場合に前記電子タグ付き印刷物が複写禁止である旨を表示する表示ステップをさらに有する、
請求項１９に記載の画像形成プログラム。
【請求項２１】
前記印刷ステップは、印刷用紙の一部に電子データを記憶する電子タグを備えた電子タグ付き印刷用紙に画像データを印刷するものであり、
前記印刷ステップにより画像データを印刷した電子タグ付き印刷用紙の電子タグに、前記印刷ステップにより印刷した画像データを書き込む書き込みステップをさらに有することを特徴とする、
請求項１９または２０に記載の画像形成プログラム。
【請求項２２】
前記電子タグは無線通信により電子データを送受信するものである、
請求項１９〜２１のいずれか１項に記載の画像形成プログラム。
【請求項２３】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物を、一枚ずつ所定の読み取り位置まで搬送する搬送ステップと、
前記搬送ステップにより搬送された電子タグ付き印刷物の電子タグから前記電子タグ付き印刷物の属性情報を読み出す第１の読み出しステップと、
前記第１の読み出しステップにより読み出した属性情報中に複写禁止情報が存在するか否かを判断する判断ステップと、
前記判断ステップにより複写禁止情報が存在しないと判断した電子タグ付き印刷物の電子タグから画像データを読み出す第２の読み出しステップと、
前記第２の読み出しステップにより読み出した画像データを印刷する印刷ステップとを有し、
前記第２の読み出しステップは、前記判断ステップにより複写禁止情報が存在すると判断した電子タグ付き印刷物の電子タグから画像データの読み出しを行わないことを特徴とする、
画像形成プログラム。
【請求項２４】
前記印刷ステップは、前記判断ステップにより複写禁止情報が存在すると判断した電子タグ付き印刷物については白紙を出力することを特徴とする、
請求項２３に記載の画像形成プログラム。
【請求項２５】
前記印刷ステップは、前記判断ステップにより複写禁止情報が存在すると判断した電子タグ付き印刷物については出力を行わないことを特徴とする、
請求項２３に記載の画像形成プログラム。
【請求項２６】
前記印刷ステップは、印刷用紙の一部に電子データを記憶する電子タグを備えた電子タグ付き印刷用紙に画像データを印刷するものであり、
前記印刷ステップにより画像データを印刷した電子タグ付き印刷用紙の電子タグに、前記印刷ステップにより印刷した画像データを書き込む書き込みステップをさらに有することを特徴とする、
請求項２３〜２５のいずれか１項に記載の画像形成プログラム。
【請求項２７】
前記電子タグは無線通信により電子データを送受信するものである、
請求項２３〜２６のいずれか１項に記載の画像形成プログラム。
【請求項２８】
請求項１９〜２７のいずれか１項に記載の画像形成プログラムを記録したコンピュータ読み取り可能な記録媒体。
【発明の詳細な説明】
【技術分野】
【０００１】
本発明は、電子タグを備えた印刷物およびこれを複写等するための画像形成装置に関し、特に、複写時に印刷物の属性情報および元画像データを利用可能な電子タグ付き印刷物および画像形成装置に関する。
【背景技術】
【０００２】
印刷用紙の一部にＩＣタグを埋め込んだＩＣタグ付き印刷用紙を利用して印刷物の属性情報を印刷物自体に保持できるようにしたもの、およびかかる印刷物を複写する際にＩＣタグから印刷物の属性情報を読み出して利用することのできる画像形成装置が知られている（例えば、特許文献１参照）。これらの印刷物および装置では、例えば複写禁止情報がある場合に画像データにノイズを乗せる等、複写時に印刷物の属性情報を画像データに反映させて出力することができる。しかし、上記印刷物および装置は印刷物を光学複写するものであるので、複写物の画像が劣化する等の欠点がある。
【０００３】
また、印刷物を複写する際に同時に印刷物に付された識別子を読み取り、サーバから対応する元画像データをダウンロードして印刷する画像形成装置が知られている（例えば、特許文献２参照）。かかる装置によれば、印刷物にかかる元画像データを利用できるので複写物においても印刷物と同等の画質を維持することができる。しかし、上記装置では、専用サーバやネットワーク等が構築された環境下でなければ利用することができない。
【０００４】
一方、ＩＣカード等の記録媒体の基材表面に当該記録媒体に記録した画像データを印刷したものが知られている（例えば、特許文献３参照）。しかし、かかる記録媒体の基材表面の画像は、当該記録媒体に記録された画像データを視覚的に容易に確認できるようにするために簡易的に印刷されたものに過ぎず、画像が印刷された当該記録媒体が印刷物として流通したり複写されたりする性質を有するものではない。
【特許文献１】特開２００１−２４８４５号公報
【特許文献２】特開２００２−２０９０３９号公報
【特許文献３】特開平１０−３３４２１５号公報
【発明の開示】
【発明が解決しようとする課題】
【０００５】
上記従来技術の有する問題点を解決する手段として、本出願人は、印刷用紙の一部にＩＣタグを埋め込んだＩＣタグ付き印刷用紙を利用して印刷物の属性情報および元画像データを印刷物自体に保持できるようにした電子タグ付き印刷物、およびかかる印刷物を複写する際にＩＣタグから印刷物の属性情報および元画像データを読み出して利用することのできる画像形成装置を、本出願と同時に出願した。かかる印刷物および装置によれば、複写時に印刷物自体が保持する印刷物の属性情報および元画像データを利用することができるので、属性情報が反映された高画質な複写物を容易に得ることができる。しかし、上記印刷物の属性情報に元画像データの複写を禁止する旨の情報が含まれている場合に、かかる複写禁止情報を反映させて処理を実行することのできる画像形成装置は知られておらず、特に、上記装置に複写禁止情報を含むＩＣタグ付き印刷物と複写禁止情報を含まないＩＣタグ付き印刷物とが混在してセットされた場合に、複写禁止情報の有無に応じて原稿を適切に処理することのできる画像形成装置は知られていない。
【０００６】
従って、本発明は、電子タグ付き印刷物を複写する際に電子タグから印刷物の属性情報および元画像データを読み出して利用することのできる画像形成装置において、原稿の電子タグ付き印刷物が属性情報に複写禁止情報を含んでいる場合に、原稿を適切に処理することのできる画像形成装置を提供することを目的とする。
【０００７】
本発明はまた、上記画像形成装置において、原稿中に複写禁止情報を含む電子タグ付き印刷物と複写禁止情報を含まない電子タグ付き印刷物とが混在している場合に、それぞれを適切に処理することのできる画像形成装置を提供することを目的とする。
【課題を解決するための手段】
【０００８】
本発明の上記目的は、下記の手段によって達成される。
（１）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す第１の読み出し手段と、前記第１の読み出し手段により読み出した属性情報中に複写禁止情報が存在するか否かを判断する判断手段と、前記判断手段により複写禁止情報が存在しないと判断した場合に前記電子タグから画像データを読み出す第２の読み出し手段と、前記第２の読み出し手段により読み出した画像データを印刷する印刷手段とを有し、前記第２の読み出し手段は、前記判断手段により複写禁止情報が存在すると判断した場合に前記電子タグから画像データの読み出しを行わず、前記印刷手段は、前記判断手段により複写禁止情報が存在すると判断した場合に出力を中止することを特徴とする、画像形成装置。
【０００９】
（２）前記判断手段により複写禁止情報が存在すると判断した場合に前記電子タグ付き印刷物が複写禁止である旨を表示する表示手段をさらに有する、（１）に記載の画像形成装置。
【００１０】
（３）前記印刷手段は、印刷用紙の一部に電子データを記憶する電子タグを備えた電子タグ付き印刷用紙に画像データを印刷するものであり、前記印刷手段により画像データを印刷した電子タグ付き印刷用紙の電子タグに、前記印刷手段により印刷した画像データを書き込む書き込み手段をさらに有することを特徴とする、（１）または（２）に記載の画像形成装置。
【００１１】
（４）前記電子タグは無線通信により電子データを送受信するものである、（１）〜（４）のいずれか１つに記載の画像形成装置。
【００１２】
（５）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物を、一枚ずつ所定の読み取り位置まで搬送する搬送手段と、前記搬送手段により搬送された電子タグ付き印刷物の電子タグから前記電子タグ付き印刷物の属性情報を読み出す第１の読み出し手段と、前記第１の読み出し手段により読み出した属性情報中に複写禁止情報が存在するか否かを判断する判断手段と、前記判断手段により複写禁止情報が存在しないと判断した電子タグ付き印刷物の電子タグから画像データを読み出す第２の読み出し手段と、前記第２の読み出し手段により読み出した画像データを印刷する印刷手段とを有し、前記第２の読み出し手段は、前記判断手段により複写禁止情報が存在すると判断した電子タグ付き印刷物の電子タグから画像データの読み出しを行わないことを特徴とする、画像形成装置。
【００１３】
（６）前記印刷手段は、前記判断手段により複写禁止情報が存在すると判断した電子タグ付き印刷物については白紙を出力することを特徴とする、（５）に記載の画像形成装置。
【００１４】
（７）前記印刷手段は、前記判断手段により複写禁止情報が存在すると判断した電子タグ付き印刷物については出力を行わないことを特徴とする、（５）に記載の画像形成装置。
【００１５】
（８）前記印刷手段は、印刷用紙の一部に電子データを記憶する電子タグを備えた電子タグ付き印刷用紙に画像データを印刷するものであり、前記印刷手段により画像データを印刷した電子タグ付き印刷用紙の電子タグに、前記印刷手段により印刷した画像データを書き込む書き込み手段をさらに有することを特徴とする、（５）〜（７）のいずれか１つに記載の画像形成装置。
【００１６】
（９）前記電子タグは無線通信により電子データを送受信するものである、（５）〜（８）のいずれか１つに記載の画像形成装置。
【００１７】
（１０）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す第１の読み出しステップと、前記第１の読み出しステップにより読み出した属性情報中に複写禁止情報が存在するか否かを判断する判断ステップと、前記判断ステップにより複写禁止情報が存在しないと判断した場合に前記電子タグから画像データを読み出す第２の読み出しステップと、前記第２の読み出しステップにより読み出した画像データを印刷する印刷ステップとを有し、前記第２の読み出しステップは、前記判断ステップにより複写禁止情報が存在すると判断した場合に前記電子タグから画像データの読み出しを行わず、前記印刷ステップは、前記判断ステップにより複写禁止情報が存在すると判断した場合に出力を中止することを特徴とする、画像形成方法。
【００１８】
（１１）前記判断ステップにより複写禁止情報が存在すると判断した場合に前記電子タグ付き印刷物が複写禁止である旨を表示する表示ステップをさらに有する、（１０）に記載の画像形成方法。
【００１９】
（１２）前記印刷ステップは、印刷用紙の一部に電子データを記憶する電子タグを備えた電子タグ付き印刷用紙に画像データを印刷するものであり、前記印刷ステップにより画像データを印刷した電子タグ付き印刷用紙の電子タグに、前記印刷ステップにより印刷した画像データを書き込む書き込みステップをさらに有することを特徴とする、（１０）または（１１）に記載の画像形成方法。
【００２０】
（１３）前記電子タグは無線通信により電子データを送受信するものである、（１０）〜（１２）のいずれか１つに記載の画像形成方法。
【００２１】
（１４）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物を、一枚ずつ所定の読み取り位置まで搬送する搬送ステップと、前記搬送ステップにより搬送された電子タグ付き印刷物の電子タグから前記電子タグ付き印刷物の属性情報を読み出す第１の読み出しステップと、前記第１の読み出しステップにより読み出した属性情報中に複写禁止情報が存在するか否かを判断する判断ステップと、前記判断ステップにより複写禁止情報が存在しないと判断した電子タグ付き印刷物の電子タグから画像データを読み出す第２の読み出しステップと、前記第２の読み出しステップにより読み出した画像データを印刷する印刷ステップとを有し、前記第２の読み出しステップは、前記判断ステップにより複写禁止情報が存在すると判断した電子タグ付き印刷物の電子タグから画像データの読み出しを行わないことを特徴とする、画像形成方法。
【００２２】
（１５）前記印刷ステップは、前記判断ステップにより複写禁止情報が存在すると判断した電子タグ付き印刷物については白紙を出力することを特徴とする、（１４）に記載の画像形成方法。
【００２３】
（１６）前記印刷ステップは、前記判断ステップにより複写禁止情報が存在すると判断した電子タグ付き印刷物については出力を行わないことを特徴とする、（１４）に記載の画像形成方法。
【００２４】
（１７）前記印刷ステップは、印刷用紙の一部に電子データを記憶する電子タグを備えた電子タグ付き印刷用紙に画像データを印刷するものであり、前記印刷ステップにより画像データを印刷した電子タグ付き印刷用紙の電子タグに、前記印刷ステップにより印刷した画像データを書き込む書き込みステップをさらに有することを特徴とする、（１４）〜（１６）のいずれか１つに記載の画像形成方法。
【００２５】
（１８）前記電子タグは無線通信により電子データを送受信するものである、（１４）〜（１７）のいずれか１つに記載の画像形成方法。
【００２６】
（１９）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す第１の読み出しステップと、前記第１の読み出しステップにより読み出した属性情報中に複写禁止情報が存在するか否かを判断する判断ステップと、前記判断ステップにより複写禁止情報が存在しないと判断した場合に前記電子タグから画像データを読み出す第２の読み出しステップと、前記第２の読み出しステップにより読み出した画像データを印刷する印刷ステップとを有し、前記第２の読み出しステップは、前記判断ステップにより複写禁止情報が存在すると判断した場合に前記電子タグから画像データの読み出しを行わず、前記印刷ステップは、前記判断ステップにより複写禁止情報が存在すると判断した場合に出力を中止することを特徴とする、画像形成プログラム。
【００２７】
（２０）前記判断ステップにより複写禁止情報が存在すると判断した場合に前記電子タグ付き印刷物が複写禁止である旨を表示する表示ステップをさらに有する、（１９）に記載の画像形成プログラム。
【００２８】
（２１）前記印刷ステップは、印刷用紙の一部に電子データを記憶する電子タグを備えた電子タグ付き印刷用紙に画像データを印刷するものであり、前記印刷ステップにより画像データを印刷した電子タグ付き印刷用紙の電子タグに、前記印刷ステップにより印刷した画像データを書き込む書き込みステップをさらに有することを特徴とする、（１９）または（２０）に記載の画像形成プログラム。
【００２９】
（２２）前記電子タグは無線通信により電子データを送受信するものである、（１９）〜（２１）のいずれか１つに記載の画像形成プログラム。
【００３０】
（２３）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物を、一枚ずつ所定の読み取り位置まで搬送する搬送ステップと、前記搬送ステップにより搬送された電子タグ付き印刷物の電子タグから前記電子タグ付き印刷物の属性情報を読み出す第１の読み出しステップと、前記第１の読み出しステップにより読み出した属性情報中に複写禁止情報が存在するか否かを判断する判断ステップと、前記判断ステップにより複写禁止情報が存在しないと判断した電子タグ付き印刷物の電子タグから画像データを読み出す第２の読み出しステップと、前記第２の読み出しステップにより読み出した画像データを印刷する印刷ステップとを有し、前記第２の読み出しステップは、前記判断ステップにより複写禁止情報が存在すると判断した電子タグ付き印刷物の電子タグから画像データの読み出しを行わないことを特徴とする、画像形成プログラム。
【００３１】
（２４）前記印刷ステップは、前記判断ステップにより複写禁止情報が存在すると判断した電子タグ付き印刷物については白紙を出力することを特徴とする、（２３）に記載の画像形成プログラム。
【００３２】
（２５）前記印刷ステップは、前記判断ステップにより複写禁止情報が存在すると判断した電子タグ付き印刷物については出力を行わないことを特徴とする、（２３）に記載の画像形成プログラム。
【００３３】
（２６）前記印刷ステップは、印刷用紙の一部に電子データを記憶する電子タグを備えた電子タグ付き印刷用紙に画像データを印刷するものであり、前記印刷ステップにより画像データを印刷した電子タグ付き印刷用紙の電子タグに、前記印刷ステップにより印刷した画像データを書き込む書き込みステップをさらに有することを特徴とする、（２３）〜（２５）のいずれか１つに記載の画像形成プログラム。
【００３４】
（２７）前記電子タグは無線通信により電子データを送受信するものである、（２３）〜（２６）のいずれか１つに記載の画像形成プログラム。
【００３５】
（２８）（１９）〜（２７）のいずれか１つに記載の画像形成プログラムを記録したコンピュータ読み取り可能な記録媒体。
【発明の効果】
【００３６】
本発明の画像形成装置によれば、電子タグ付き印刷物の電子タグから読み出した属性情報に複写禁止情報が含まれるか否かを判断し、複写禁止情報が含まれる場合には出力を中止するので、ユーザが複写禁止であることを知らずに原稿の複写を行おうとしても確実に処理を中止することができる。特に、従来の画像形成装置は、ＡＤＦ（Auto Document Feeder  自動原稿搬送装置）により原稿を読み取り位置まで搬送して原稿画像を読み取り、複写禁止情報があれば画像形成中止等の処理を施すものであったが、本発明の画像形成装置では、原稿のＩＣタグに複写禁止情報が含まれる場合はＡＤＦによる原稿の搬送を行わずに画像形成処理を中止するので、原稿搬送等の無駄な処理を省略することができ、搬送に伴う原稿の傷みや汚れ等も生じない。
【００３７】
また、本発明の画像形成装置によれば、原稿中に複写禁止情報を含む電子タグ付き印刷物と複写禁止情報を含まない電子タグ付き印刷物とが混在している場合に、複写禁止情報の有無を自動的に判別して、複写禁止情報を含まない原稿についてのみ電子タグから読み出した画像データを出力することにより、複写可能な原稿のみを適切に出力することができる。
【００３８】
また、本発明の画像形成装置によれば、さらに複写禁止情報を含む原稿は白紙を出力することにより、両面印刷等の指定時にレイアウトを維持して出力することができる。
【００３９】
また、本発明の画像形成装置によれば、さらに複写禁止情報を含む原稿は出力しないことにより、不必要な出力をなくして費用や処理時間を節約することができる。
【発明を実施するための最良の形態】
【００４０】
以下、本発明の実施の形態を、図面を参照して詳細に説明する。
【００４１】
図１および図２は、それぞれ、本発明の第１の実施形態にかかる画像形成装置としてのＭＦＰ（Multiple Function Peripheral  多機能周辺機器）１００Ａの構成を示すブロック図および概略図である。図１および図２に示すように、ＭＦＰ１００Ａは、制御部１１０、記憶部１２０、操作部１３０、画像入力部１４０、および画像出力部１５０を備えており、これらは信号をやり取りするためのバス１６０を介して相互に接続されている。
【００４２】
制御部１１０はＣＰＵであり、プログラムにしたがって上記各部の制御や各種の演算処理等を行う。
【００４３】
記憶部１２０は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００４４】
操作部１３０は、各種情報を表示し、または各種設定入力を行うタッチパネル、コピー枚数等を設定するテンキー、動作の開始を指示するスタートキー、動作の停止を指示するストップキー、各種設定条件を初期化するリセットキー等の各種固定キー、表示ランプ等からなる。
【００４５】
画像入力部１４０は、ＡＤＦ１４１、光学読み取り部１４２、ＩＣタグリーダー１４３、入力インタフェース１４４等からなる。
【００４６】
ＡＤＦ１４１は、原稿トレイ１４５にセットされた単数枚または複数枚の原稿を一枚ずつ原稿台１４６の所定の読み取り位置まで順次搬送し、また画像読み取り後の原稿を順次排出する。
【００４７】
光学読み取り部１４２は、原稿台１４６の所定の読み取り位置にセットされた原稿またはＡＤＦにより搬送された原稿に蛍光ランプ等の光源で光を当て、その反射光をＣＣＤやＣＩＳ等の受光素子で光電変換して、その電気信号から画像データ（ビットマップデータ）を生成する。
【００４８】
ＩＣタグリーダー１４３は、後述するＩＣタグ付き原稿の非接触型ＩＣタグに記録されている電子データを読み取る。ＩＣタグリーダー１４３とＩＣタグとの間の通信方式としては、国際標準規格のＩＳＯ１４４４３、ＩＳＯ１５６９３等に規定されるものが挙げられ、１３５ＫＨｚ、１３．５６ＭＨｚ、２．４５ＧＨｚ等の周波数帯が利用される。但し、利用する通信方式はこれらに限定されるものではなく、その他の既知の通信方式や独自の通信方式を利用するものであってもよい。また、ＩＣタグリーダーは、通信可能な範囲内にある複数のＩＣタグからそれぞれに記録されている電子データを一度に読み取ることも可能である。
【００４９】
ＩＣタグリーダー１４３Ａは、原稿トレイ１４５にセットされたＩＣタグ付き原稿の非接触型ＩＣタグに記録されている電子データを読み取る。ＩＣタグリーダー１４３Ａは、原稿トレイ１４５にセットされたＩＣタグ付き原稿以外のＭＦＰ１００Ａの近辺にあるＩＣタグを検出してしまうことによる誤操作を防止するため、所定の適切な通信距離、例えば数ｃｍから数十ｃｍの近距離通信用に設計されたものが用いられる。
【００５０】
ＩＣタグ１４３Ｂは、ＡＤＦ１４１により原稿台１４６の所定の読み取り位置に搬送されたＩＣタグ付き原稿の非接触型ＩＣタグに記録されている電子データを読み取る。ＩＣタグ１４３Ｂは、ＡＤＦ１４１により原稿台１４６に搬送されたＩＣタグ付き原稿以外の近辺のＩＣタグを検出してしまうことによる誤操作を防止するため、所定の適切な通信距離、例えば数ｍｍから数ｃｍの至近距離通信用に設計されたものが用いられる。なお、ＡＤＦ１４１と原稿台１４６との間には無線通信を遮断する板金が備えられており、ＩＣタグリーダー１４３Ａは原稿台１４６上のＩＣタグ付き原稿のＩＣタグを、ＩＣタグリーダー１４３Ｂは原稿トレイ１４５上のＩＣタグ付き原稿のＩＣタグを、それぞれ検出できない構成となっている。
【００５１】
入力インタフェース１４４は、外部機器から画像データ等の入力を受けるためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等のローカル接続インタフェース、電話回線に接続するための電話回線インタフェース等を利用することができる。
【００５２】
画像出力部１５０は、印刷部１５１、ＩＣタグライター１５２、出力インタフェース１５３等からなる。
【００５３】
印刷部１５１は、画像データを電子写真方式により帯電、露光、現像、転写および定着の各工程を経て印刷用紙に画像データを印刷し、排紙トレイ１５４に排出する。
【００５４】
ＩＣタグライター１５２は、後述するＩＣタグ付き印刷用紙の非接触型ＩＣタグに電子データを書き込む。ＩＣタグライター１５２には、ＩＣタグリーダー１４３Ｂと同様の至近距離通信用のものが用いられ、ＩＣタグライター１５２とＩＣタグとの通信方式は、ＩＣタグリーダー１４３Ａまたは１４３Ｂと同様のものを利用することができる。
【００５５】
出力インタフェース１５３は、外部機器に画像ファイル等を出力するためのインタフェースであり、前記入力インタフェース１４４と同様のものを利用することができる。
【００５６】
ＭＦＰ１００Ａは、上記構成により、原稿画像を読み取って画像データを外部機器に送信するスキャナとしての機能、外部機器から受信した画像データを印刷出力するプリンタとしての機能、原稿画像を読み取って画像データを印刷出力する複写機としての機能、および画像データを電話回線を介して送受信するファクシミリとしての機能を兼ね備えるものである。
【００５７】
但し、ＭＦＰ１００Ａは、上述した構成要素以外の構成要素を含んでいてもよく、あるいは、上述した構成要素のうちの一部を含んでいなくてもよい。例えば、本実施形態では、ＭＦＰ１００Ａの画像入力部１４０は、少なくとも入力インタフェース１４４を有していればよく、必ずしも光学読み取り部１４２、ＡＤＦ１４１またはＩＣタグリーダー１４３を有していなくてもよい。また、画像出力部１５０は出力インタフェース１５３を必ずしも有していなくてもよい。
【００５８】
つぎに、本実施形態にかかるＩＣタグ付き原稿を図３および図４を参照して説明する。図３は、本実施形態にかかるＩＣタグ付き原稿２００の構成を示す概略図である。図３に示すように、ＩＣタグ付き原稿２００は、紙、プラスチックフィルム等の印刷用紙２１１の一部分にＩＣタグ２１２が埋め込まれてなるＩＣタグ付き印刷用紙２１０上に画像２２０が印刷されてなる印刷物であり、ＩＣタグ付き原稿２００のＩＣタグ２１２には画像２２０にかかる元画像データであってＭＦＰ１００Ａが印刷可能なデータ形式のものが記録されている。
【００５９】
ここで、ＩＣタグ２１２は非接触型であり、内部にＩＣチップからなる記憶部とコイルからなるアンテナ部とを有しており（いずれも図示せず）、ＩＣタグリーダー１４３またはＩＣタグライター１５２から放出される電波を受信して電磁誘導結合によりＩＣタグリーダー１４３Ａ、１４３ＢまたはＩＣタグライター１５２と無線通信を行い、電子データの読み出しおよび書き込みを行うことができる。近年、厚さ０．２５ｍｍ等の微小なＩＣタグが開発され紙等の印刷用紙に埋め込むことが可能となるとともに、ＩＣチップの高容量化が進みＩＣタグに記録可能な情報量も増大してきている。
【００６０】
図４は、ＩＣタグ２１２に記録されている電子データの内容を説明するための図である。図４に示すように、ＩＣタグ２１２の記憶部には電子データ３００が記録されている。電子データ３００はＸＭＬ形式により記述されており、印刷物固有の原稿ＩＤ、ページ番号等のＩＣタグ付き原稿２００の属性情報が記録されたヘッダ部３１０と、ＩＣタグ付き印刷用紙２１０上に印刷された画像２２０にかかる元画像データが記録された画像データ部３２０とを有している。ただし、ＩＣタグ２１２に電子データとして記録される情報および電子データの形式は、これらの例に限定されるものではない。
【００６１】
また、図３において、ＩＣタグ付き印刷用紙２１０は、必ずしも図示した形態に限られるものではなく、例えばＩＣタグ２１２が印刷用紙２１１の略全体を占めるように埋め込まれているものであってもよいし、複数個のＩＣタグ２１２が印刷用紙２１１の略全体に分散して埋め込まれているものであってもよい。
【００６２】
つぎに、本実施形態におけるＭＦＰ１００Ａの動作の概要を説明する。図５および図６は、本実施形態におけるＭＦＰ１００Ａの画像形成処理の手順を示すフローチャートである。なお、図５および図６のフローチャートにより示されるアルゴリズムは、ＭＦＰ１００Ａの記憶部１２０に制御プログラムとして記憶されており、動作開始の際に制御部１１０により読み出されて実行される。
【００６３】
図５において、ＭＦＰ１００Ａは、開始命令があるまで待機する（Ｓ３０１のＮＯ）。ユーザは、原稿を原稿トレイ１４５にセットし、操作部１３０から、印刷部数、印刷用紙の種類またはサイズ等の印刷条件を設定してスタートキーを押す。
【００６４】
ＭＦＰ１００Ａは、操作部１３０から開始命令の入力があると（Ｓ１０１のＹＥＳ）、ＩＣタグリーダー１４３Ａにより原稿トレイ１４５にセットされた原稿からＩＣタグを検索し、原稿がＩＣタグ付き原稿であるか否かを判断する（Ｓ１０２）。ステップＳ１０２でＩＣタグが検出されなかった場合は、原稿トレイ１４５にセットされた原稿が通常の原稿であるものと判断し（Ｓ１０２のＮＯ）、原稿トレイ１４５にセットされた原稿をＡＤＦ１４１により原稿台１４６の所定の読み取り位置まで搬送し（Ｓ１０３）、光学読み取り手段１４２により原稿画像を読み取って画像データに変換し（Ｓ１０４）、印刷部１５１により印刷条件に従って通常の印刷用紙に印刷して（Ｓ１０５）、排紙トレイ１５４に排出する（Ｓ１０６）。
【００６５】
ステップＳ１０２でＩＣタグが検出された場合は、原稿トレイ１４５にセットされた原稿がＩＣタグ付き原稿であるものと判断して（Ｓ１０２のＹＥＳ）、ＩＣタグリーダー１４３Ａにより原稿トレイ１４５にセットされたＩＣタグ付き原稿のＩＣタグから当該原稿の属性情報を記憶部１２０に読み出し（Ｓ１０７）、読み出した属性情報中に複写禁止情報が含まれているか否かを判断する（Ｓ１０８）。ここで、複写禁止情報とは、当該原稿が複写禁止であることを示す属性情報である。図４の電子データ３００の例では、ＩＣタグに記録された属性情報中に禁止情報として原稿の複写の可否を示す「複写可否」タグが含まれており、ＭＦＰ１００Ａは「複写可否」タグのパラメータが「可」である場合当該原稿が複写可能であり、「否」である場合複写禁止であると判断する。
【００６６】
ステップＳ１０８で、属性情報中に複写禁止情報が含まれている場合は（Ｓ１０８のＹＥＳ）、図７の画面４１０のように、操作部１３０のタッチパネルに原稿が複写禁止であるので処理を中止する旨を表示し（Ｓ１０９）、画像形成処理を中止する。
【００６７】
一方、ステップＳ１０８で、属性情報中に複写禁止情報が含まれていない場合は（Ｓ１０８のＮＯ）、さらにＩＣタグリーダー１４３ＡによりＩＣタグ付き原稿のＩＣタグに元画像データが記録されているか否かを判断し（Ｓ１１０）、ＩＣタグ内に元画像データが記録されていない場合は（Ｓ１１０のＮＯ）、通常の原稿の場合と同様にして原稿を搬送し原稿画像を光学読み取りして得られた画像データを印刷する（Ｓ１０３〜Ｓ１０６）。
【００６８】
ステップＳ１１０で、ＩＣタグ内に元画像データが記録されている場合は（Ｓ１１０のＹＥＳ）、図８の画面４２０のように、操作部１３０のタッチパネルに、原稿がＩＣタグ付き原稿でありＩＣタグ内に原稿の元画像データが記録されていて利用可能である旨を表示し（Ｓ１１１）、ＩＣタグ内の元画像データを印刷するか否かの指示入力を受け付ける（Ｓ１１２）。そして、元画像データを印刷しない指示の入力があった場合は（Ｓ１１２のＮＯ）、通常の原稿の場合と同様にして原稿を搬送し原稿画像を光学読み取りして得られた画像データを印刷する（Ｓ１０３〜Ｓ１０６）。
【００６９】
一方、ステップＳ１１２で、元画像データを印刷する指示の入力があった場合は（Ｓ１１２のＹＥＳ）、図６のステップＳ１１３に進み、ＩＣタグリーダー１４３Ａにより原稿トレイ１４５にセットされたＩＣタグ付き原稿のＩＣタグから元画像データを記憶部１２０に読み出す（Ｓ１１３）。そして、図９の画面４３０のように、操作部１３０のタッチパネルにＩＣタグ付き印刷用紙への印刷指示入力画面を表示して（Ｓ１１４）、ＩＣタグ付き印刷用紙に印刷するか否かの指示入力を受け付ける（Ｓ１１５）。ステップＳ１１５でＩＣタグ付き印刷用紙への印刷指示があった場合は（Ｓ１１５のＹＥＳ）、印刷部１５１により属性情報に基づいて元画像データをＩＣタグ付き印刷用紙に印刷し（Ｓ１１６）、さらにＩＣライター１５２により元画像データおよび属性情報をＩＣタグに書き込んで（Ｓ１１７）、印刷用紙を排紙トレイ１５４に排出する（Ｓ１０６）。
【００７０】
一方、ステップＳ１１５でＩＣタグ付き印刷用紙への印刷指示がなかった場合は（Ｓ１１５のＮＯ）、属性情報に基づいて元画像データを通常の印刷用紙に印刷し（Ｓ１１８）、印刷用紙を排紙トレイ１５４に排出する（Ｓ１０６）。
【００７１】
つぎに、本発明の第２の実施形態にかかる画像形成装置としてのＭＦＰ１００Ｂの動作の概要を説明する。ここで、ＭＦＰ１００Ｂは前記第１の実施形態にかかるＭＦＰ１００Ａと同様の構成を有しているものとする（図１および図２参照）。
【００７２】
図１０〜図１２は、本実施形態におけるＭＦＰ１００Ｂの画像形成処理の手順を示すフローチャートである。なお、図１０〜図１２のフローチャートにより示されるアルゴリズムは、ＭＦＰ１００Ｂの記憶部１２０に制御プログラムとして記憶されており、動作開始の際に制御部１１０により読み出されて実行される。
【００７３】
図１０において、ＭＦＰ１００Ｂは、開始命令があるまで待機する（Ｓ２０１のＮＯ）。ユーザは、原稿を原稿トレイ１４５にセットし、操作部１３０から、印刷部数、印刷用紙の種類またはサイズ等の印刷条件を設定してスタートキーを押す。
【００７４】
ＭＦＰ１００Ｂは、操作部１３０から開始命令の入力があると（Ｓ２０１のＹＥＳ）、ＩＣタグリーダー１４３Ａにより原稿トレイ１４５にセットされた原稿からＩＣタグを検索し、原稿がＩＣタグ付き原稿であるか否かを判断する（Ｓ２０２）。ステップＳ２０２でＩＣタグが検出されなかった場合は、原稿トレイ１４５にセットされた原稿が通常の原稿であるものと判断し（Ｓ２０２のＮＯ）、原稿トレイ１４５にセットされた原稿をＡＤＦ１４１により原稿台１４６の所定の読み取り位置まで搬送し（Ｓ２０３）、光学読み取り手段１４２により原稿画像を読み取って画像データに変換し（Ｓ２０４）、印刷部１５１により印刷条件に従って通常の印刷用紙に印刷して（Ｓ２０５）、排紙トレイ１５４に排出する（Ｓ２０６）。
【００７５】
ステップＳ１０２でＩＣタグが検出された場合は、原稿トレイ１４５にセットされた原稿がＩＣタグ付き原稿であるものと判断して（Ｓ２０２のＹＥＳ）、ＩＣタグリーダー１４３Ａにより原稿トレイ１４５にセットされたＩＣタグ付き原稿のＩＣタグから当該原稿の属性情報を記憶部１２０に読み出し（Ｓ２０７）、読み出した属性情報中に複写禁止情報が含まれているか否かを判断する（Ｓ２０８）。
【００７６】
ステップＳ２０８で、属性情報中に複写禁止情報が含まれていない場合は（Ｓ２０８のＮＯ）、上述したステップＳ１１０〜Ｓ１１８と同様の処理を行う。すなわち、元画像データの有無により、それぞれＩＣタグから元画像データを読み出してまたは原稿画像を光学読み取りして画像データを得て（Ｓ２０９）、ＩＣタグ付き印刷用紙への印刷指示の有無により、それぞれＩＣタグ付き印刷用紙または通常の印刷用紙に印刷し（Ｓ２１０）、ＩＣタグ付き印刷用紙については元画像データおよび属性情報をＩＣタグに書き込んで（Ｓ２１１）、印刷用紙を排出する（Ｓ２０６）。
【００７７】
一方、ステップＳ２０８で、属性情報中に複写禁止情報が含まれていた場合は（Ｓ２０８のＹＥＳ）、図１３の画面４４０のように、操作部１３０のタッチパネルに複写が禁止されている原稿が含まれている旨を表示し（Ｓ２１２）、複写が可能な原稿について処理を続行するか否かの指示入力を受け付ける（Ｓ２１３）。そして、ステップＳ２１３で処理を中止する旨の指示入力があった場合には（Ｓ２１３のＮＯ）、画像形成処理を終了する。
【００７８】
ステップＳ２１３で処理を続行する旨の指示入力があった場合には（Ｓ２１３のＹＥＳ）、図１４の画面４５０のように、操作部１３０のタッチパネルに複写禁止の原稿の処理方法指定画面を表示し（Ｓ２１４）、複写禁止の原稿をどのように処理するかについての指定入力を受け付ける（Ｓ２１５）。本実施形態においては、画面４５０のように、複写禁止の原稿の処理方法として、「白紙を出力する」または「印刷しない」のいずれかのモードを選択して指定することができる。ここで、「白紙を出力する」とは原稿画像を印刷しないで白紙のままの印刷用紙を出力するモードであり、複写禁止の原稿については白紙の印刷用紙を出力することにより、両面印刷、Ｎｉｎ１（Ｎページ分のデータを1ページの出力データに配置する機能）、ブックレット印刷等のレイアウトを維持して出力したい場合等に選択される。「印刷しない」とは何も出力しないモードであり、複写禁止の原稿については出力しないことにより、不必要な出力をなくして費用や時間を節約したい場合に選択される。
【００７９】
ステップＳ２１５で「白紙を出力する」が指定された場合（Ｓ２１５のＹＥＳ）、図１１のステップＳ２１６に進み、原稿トレイ１４５にセットされた原稿のうち１枚目の原稿について（Ｓ２１６）、ＡＤＦ１４１により原稿を原稿台１４６の所定の読み取り位置まで搬送し（Ｓ２１７）、ＩＣタグリーダー１４３Ｂにより原稿のＩＣタグ内に複写禁止情報があるか否かを検索し、原稿台１４６上の原稿が複写禁止であるか否かを判断する（Ｓ２１８）。原稿台１４６上の原稿から複写禁止情報が検出されなかった場合は、原稿が複写禁止ではないと判断して（Ｓ２１８のＮＯ）、上述したステップＳ１１０〜Ｓ１１８と同様の処理を行う。すなわち、元画像データの有無により、それぞれＩＣタグから元画像データを読み出してまたは原稿画像を光学読み取りして画像データを得て（Ｓ２１９）、ＩＣタグ付き印刷用紙への印刷指示の有無により、それぞれＩＣタグ付き印刷用紙または通常の印刷用紙に印刷し（Ｓ２２０）、ＩＣタグ付き印刷用紙については元画像データおよび属性情報をＩＣタグに書き込んで（Ｓ２１１）、印刷用紙を排出する（Ｓ２２２）。また、ステップＳ２１８で原稿台１４６上の原稿から複写禁止情報が検出された場合は、原稿が複写禁止であると判断して（Ｓ２１８のＹＥＳ）、ＩＣタグ付き印刷用紙に原稿画像を印刷しないで白紙のまま排紙トレイ１５４に排出する（Ｓ２２２）。そして、未処理の原稿について同様の処理を繰り返し（Ｓ２２３のＮＯ、Ｓ２２４およびＳ２１７〜Ｓ２２２）、すべての原稿を処理したら（Ｓ２２３のＹＥＳ）、画像形成処理を終了する。
【００８０】
また、ステップＳ２１５で「印刷しない」が指定された場合（Ｓ２１５のＮＯ）、図１２のステップＳ２２５に進み、原稿トレイ１４５にセットされた原稿のうち１枚目の原稿について（Ｓ２２５）、上述したステップＳ２１７〜Ｓ２２２と同様の処理を行う（Ｓ２２６〜Ｓ２３１）。但し、ステップＳ２２７において、原稿台１４６上の原稿から複写禁止情報が検出された場合は、原稿が複写禁止であると判断して（Ｓ２２７のＹＥＳ）、何も出力しないで次の原稿の処理に移る。そして、未処理の原稿について同様の処理を繰り返し（Ｓ２３２のＮＯ、Ｓ２３３およびＳ２２６〜Ｓ２３１）、すべての原稿を処理したら（Ｓ２３２のＹＥＳ）、画像形成処理を終了する。
【００８１】
本発明は、上述した実施形態のみに限定されるものではなく、特許請求の範囲内において、種々改変することができる。
【００８２】
例えば、上記各実施形態において、画像出力部１５０は、画像データを印刷部１５１によりＩＣタグ付き印刷用紙または通常の印刷用紙に印刷し、またはＩＣタグライター１５２によりＩＣタグ付き印刷用紙のＩＣタグに書き込むだけでなく、出力インタフェース１５３を介して外部機器に送信する構成としてもよい。
【００８３】
また、上記各実施形態では、本発明にかかる画像形成装置をＭＦＰを例にして説明したが、例えば、ＭＦＰ１００は、ＩＣタグ付き印刷物の複写（ＩＣタグ付き印刷物から通常の印刷用紙への複写）専用の複写機であってもよいし、ＩＣタグ付き印刷物の作成（ＩＣタグ付き印刷物からＩＣタグ付き印刷用紙への複写）専用の複写機であってもよい。
【００８４】
本発明による画像形成装置および画像形成方法は、上記各手順を実行するための専用のハードウエア回路によっても、また、上記各手順を記述したプログラムをＣＰＵが実行することによっても実現することができる。後者により本発明を実現する場合、画像形成装置を動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウエアに組み込んでもよい。
【産業上の利用可能性】
【００８５】
上述したように、本発明によれば、電子タグ付き印刷物を複写する際に電子タグから印刷物の属性情報および元画像データを読み出して利用することのできる画像形成装置において、原稿の電子タグ付き印刷物が属性情報に複写禁止情報を含んでいる場合に、原稿を適切に処理することのできる画像形成装置が提供される。
【００８６】
また、本発明によれば、上記画像形成装置において、原稿中に複写禁止情報を含む電子タグ付き印刷物と複写禁止情報を含まない電子タグ付き印刷物とが混在している場合に、それぞれを適切に処理することのできる画像形成装置が提供される。
【図面の簡単な説明】
【００８７】
【図１】本発明の第１の実施形態にかかるＭＦＰ１００Ａの構成を示すブロック図である。
【図２】ＭＦＰ１００Ａの構成を示す概略図である。
【図３】ＩＣタグ付き原稿２００の構成を示す概略図である。
【図４】ＩＣタグ付き原稿２００のＩＣタグ２１２に記録されている電子データの内容を説明するための図である。
【図５】ＭＦＰ１００Ａの画像形成処理の手順を示すフローチャートである。
【図６】ＭＦＰ１００Ａの画像形成処理の手順を示すフローチャートである。
【図７】ＭＦＰ１００Ａの操作部１３０のタッチパネルに表示する画面の一例である。
【図８】ＭＦＰ１００Ａの操作部１３０のタッチパネルに表示する画面の一例である。
【図９】ＭＦＰ１００Ａの操作部１３０のタッチパネルに表示する画面の一例である。
【図１０】本発明の第２の実施形態にかかるＭＦＰ１００Ｂの画像形成処理の手順を示すフローチャートである。
【図１１】ＭＦＰ１００Ｂの画像形成処理の手順を示すフローチャートである。
【図１２】ＭＦＰ１００Ｂの画像形成処理の手順を示すフローチャートである。
【図１３】ＭＦＰ１００Ｂの操作部１３０のタッチパネルに表示する画面の一例である。
【図１４】ＭＦＰ１００Ｂの操作部１３０のタッチパネルに表示する画面の一例である。
【符号の説明】
【００８８】
１００Ａ，１００Ｂ  デジタル複写機、
１１０  制御部、
１２０  記憶部、
１３０  操作部、
１４０  画像入力部、
１４１  ＡＤＦ、
１４２  光学読み取り部、
１４３Ａ，１４３Ｂ  ＩＣタグリーダー、
１４４  入力インタフェース、
１４５  原稿トレイ
１５０  画像出力部、
１５１  印刷部、
１５２  ＩＣタグライター、
１５３  出力インタフェース、
１５４  排紙トレイ
【図１】
2005193422.tif 000003
【図２】
2005193422.tif 000004
【図３】
2005193422.tif 000005
【図４】
2005193422.tif 000006
【図５】
2005193422.tif 000007
【図６】
2005193422.tif 000008
【図７】
2005193422.tif 000009
【図８】
2005193422.tif 000010
【図９】
2005193422.tif 000011
【図１０】
2005193422.tif 000012
【図１１】
2005193422.tif 000013
【図１２】
2005193422.tif 000014
【図１３】
2005193422.tif 000015
【図１４】
2005193422.tif 000016